(57)【要約】【課題】特殊文字の指定や、製品についての細かい指示・注意などをインターネット上で十分に行える注文手続システムを得る。【解決手段】発注者側に設置された発注者端末１と、印鑑の注文を管理する管理サーバ２とが、インターネット３を介して通信可能になっており、管理サーバ２が、印鑑の注文用ページ５を含むウェブサイトを開設している。印鑑の注文用ページ５には、刻印文字などの印鑑としての製品を特定するための定型入力欄６と、発注者の印鑑に関する指示事項を入力するための指示事項入力欄７とを備えている。この印鑑の注文用ページ５を受信した発注者端末１は、マウスなどの入力手段１ｄを用いて指示事項入力欄７に指示事項を手書き入力する。発注者端末１は、定型入力欄６に入力された製品特定用データと、指示事項入力欄７に手書き入力された指示事項のイメージデータとを管理サーバ２へ送信する。【選択図】        図１
2004310151.tif 000002
【特許請求の範囲】
【請求項１】
発注者側に設置された発注者端末１と、製品の注文を管理する管理サーバ２とが、インターネット３を介して通信可能になっており、
管理サーバ２が、製品の注文用ページ５を含むウェブサイトを開設している注文手続システムにおいて、
製品の注文用ページ５が、製品を特定するための定型入力欄６と、発注者の製品に関する指示事項を入力するための指示事項入力欄７とを備えており、
この製品の注文用ページ５を受信した発注者端末１が、入力手段１ｄを用いて指示事項入力欄７に指示事項を手書き入力可能になっており、
発注者端末１が、定型入力欄６に入力された製品特定用データと、指示事項入力欄７に手書き入力された指示事項のイメージデータとを管理サーバ２へ送信することを特徴とする注文手続システム。
【請求項２】
製品が印鑑である請求項１記載の注文手続システム。
【請求項３】
管理サーバ２が、発注者端末１から送られてきた製品特定用データに基づいて印鑑の印影イメージを形成し、
この印影イメージのデータと指示事項のイメージデータとを発注者端末１に送信することで、発注者端末１が印影イメージと指示事項とを出力する請求項２記載の注文手続システム。
【請求項４】
管理サーバ２が、発注者端末１から送られてきた製品特定用データと指示事項のイメージデータとに基づいて印鑑の印影イメージを形成し、この印影イメージのデータを発注者端末１に送信することで、発注者端末１が印影イメージを出力する請求項２記載の注文手続システム。
【発明の詳細な説明】
【０００１】
【発明の属する技術分野】
本発明は、発注者が印鑑などの製品を注文するための注文手続システムに関する。
【０００２】
【従来の技術】
この種の注文手続システムの従来技術に特許文献１〜３がある。特許文献１・２では、印鑑の種類、印鑑のサイズ、書体および印鑑素材などの製品を特定するための事項を記載した注文書を、ファクスや郵便で印鑑の製造販売元に送信している。特許文献３では、インターネットを使って製品の注文を行っている。
【０００３】
【特許文献１】
特開平６−１９９０２５号公報（段落番号０００６−０００７、図１）
【特許文献２】
特開平１１−２７２９５５号公報（段落番号００２０−００２２、図９）
【特許文献３】
特開２００２−１６９９９８号公報（段落番号００２４−００２７・００３９、図１・７）
【０００４】
【発明が解決しようとする課題】
特許文献１・２では、発注者は、注文書に所定事項を記載したのち、ファクスや郵便で注文書を印鑑の製造販売元に送信する手間が必要であり、注文手続が煩わしいことになる。
【０００５】
この注文手続を容易にするには、特許文献３に示すごとく、インターネットを使って印鑑の製造販売元へ注文すればよいが、特許文献３では、特殊文字の指定や、製品についての細かい指示・注意などをインターネット上で十分に行えないところになお不満がある。
【０００６】
また、指示や注意などが製品に正確に反映されていることを、インターネット上で確認できることが必要である。
【０００７】
本発明の目的は、キーボードで入力できない特殊文字の指定や、製品についての細かい指示・注意などをインターネット上で十分に行える注文手続システムを得ることにある。また本発明の目的は、指示や注意などが製品に正確に反映されていることを確認できるようにすることにある。
【０００８】
【課題を解決するための手段】
本発明が対象とする注文手続システムは、発注者側に設置された発注者端末１と、製品の注文を管理する管理サーバ２とが、インターネット３を介して通信可能になっており、管理サーバ２が、製品の注文用ページ５を含むウェブサイトを開設している。製品の注文用ページ５は、製品を特定するための定型入力欄６と、発注者の製品に関する指示事項を入力するための指示事項入力欄７とを備えている。この製品の注文用ページ５を受信した発注者端末１は、入力手段１ｄを用いて指示事項入力欄７に指示事項を手書き入力可能になっている。発注者端末１は、定型入力欄６に入力された製品特定用データと、指示事項入力欄７に手書き入力された指示事項のイメージデータとを管理サーバ２へ送信する。
【０００９】
ここでの製品には、印鑑、名刺、表札およびシールなどが含まれる。ウェブサイトには、一般公開されたサイトと、特定の会員のみに開かれたサイトとが含まれる。入力手段１ｄには、マウスやペン型入力装置などの手書き入力可能な装置が該当する。
【００１０】
具体的には、製品は印鑑であるものとすることができる。ここでの印鑑には、実印や認印などの彫刻で印面を形成するものや、ゴム印などの型で印面を形成するものなどが該当する。
【００１１】
更に管理サーバ２が、発注者端末１から送られてきた製品特定用データに基づいて印鑑の印影イメージを形成し、この印影イメージのデータと、指示事項のイメージデータとを発注者端末１に送信すると、発注者端末１が印影イメージと指示事項とを出力することができる。
【００１２】
また、管理サーバ２が、発注者端末１から送られてきた製品特定用データと、指示事項のイメージデータとに基づいて印鑑の印影イメージを形成し、この印影イメージのデータを発注者端末１に送信すると、発注者端末１が印影イメージを出力することができる。
【００１３】
印影イメージは、作成される印鑑の印面を画像にしたものが該当する。発注者端末１での印影イメージの出力には、プリントアウトやディスプレイでの表示などが該当する。
【００１４】
【発明の作用効果】
本発明の注文手続システムは、製品の注文用ページ５の指示事項入力欄７で、製品についての細かい指示・注意などを入力できるため、製品の製造元や販売元などは、発注者の意思に合致した製品を確実に納入することができる。しかも、指示や注意などを手書きで自由に入力するため、キーボードでは入力不可能な文字や入力困難な細かい点なども、製品の製造元や販売元などに正確に伝えることができる。
【００１５】
管理サーバ２が印鑑の印影イメージのデータを発注者端末１に送信し、これに応じて発注者端末１が印影イメージを出力すると、発注者は、自己の意思に合致した印鑑が確実に納入されることを予め確認することができて、注文手続に対する信頼性が向上する。
【００１６】
【発明の実施の形態】
図１ないし図３は、本発明に係る注文手続システムの実施例を示す。注文手続システムは、図１に示すごとく、印鑑の発注者側に設置された発注者端末１と、印鑑の注文や製造販売などを管理する管理サーバ２とが、インターネット３を介して通信可能になっている。発注者端末１は、１台又は複数台が配置される。
【００１７】
管理サーバ２はウェブサイトを開設している。そして、発注者が、発注者端末１およびインターネット３を介して、管理サーバ２のウェブサイトにアクセスして印鑑を注文する。製造販売元は、注文内容に応じた印鑑を作成して発注者へ発送する。
【００１８】
発注者端末１は、コンピュータなどからなり、図２に示すごとく、インターネット３に接続されて管理サーバ２などと通信するための通信手段１ａと、注文内容などのデータを記憶する記憶手段１ｂと、各種の制御処理を行う制御手段１ｃと、キーボードやマウスなどの入力手段１ｄと、プリンタやディスプレイなどの出力手段１ｅなどを備えている。この入力手段１ｄは、ペン型入力装置などを含む場合がある。
【００１９】
管理サーバ２は、コンピュータなどからなり、図３に示すごとく、インターネット３に接続されて発注者端末１などと通信するための通信手段２ａと、注文内容などのデータを記憶する記憶手段２ｂと、各種の制御処理を行う制御手段２ｃと、キーボードやマウスなどの入力手段２ｄと、プリンタやディスプレイなどの出力手段２ｅなどを備えている。
【００２０】
管理サーバ２のウェブサイトには、メニューページや、印鑑などの製品を紹介するカタログページや、印鑑の種類やサイズなどの各製品の内容を紹介する製品紹介ページや、印鑑などの製品の注文用ページなどを含んでいる。
【００２１】
発注者がメニューページで印鑑の注文を選択した場合には、図４に示す印鑑の注文用ページ５が管理サーバ２から発注者端末１へ送信される。この注文用ページ５には、印鑑の商品番号、印鑑のサイズ、書体、印鑑の素材（材料）および刻印文字などの製品を特定するための定型入力欄６と、指示事項入力欄７と、発注者を特定するために発注者の住所などを入力する発注者入力欄８とを備えている。
【００２２】
指示事項入力欄７は、印鑑作成上の注意や発注者の要望などの製品についての発注者の指示事項を入力するためのものである。印鑑の注文用ページ５を受信した発注者端末１は、入力手段１ｄのマウスやペン型入力装置などを用いて、指示事項入力欄７に指示事項を自由に手書き入力できるようになっている。
【００２３】
例えば刻印文字に複雑な字体の漢字を含む場合には、その漢字を指示事項入力欄７にマウスなどで大きく手書きする。また、刻印文字としての人名に、一般的な字体の漢字に点などを付加した特異な漢字（図５参照）を含む場合には、その漢字を指示事項入力欄７にマウスなどで大きく手書きしたうえで、その漢字に付加される点などにマウスなどで赤丸を施す。更に刻印文字に木偏（きへん）などの漢字を含む場合には、木偏の縦棒の下端をはねるか止めるかの指示を指示事項入力欄７に手書きで記載するとともに、その部分にマウスなどで赤丸を施す。
【００２４】
そして、発注者が、印鑑の注文用ページ５において、印鑑の商品番号や刻印文字などの製品特定用データを定型入力欄６に入力し、指示事項を必要に応じて指示事項入力欄７に手書き入力し、更に発注者の住所などを発注者入力欄８に入力したのち、印鑑の注文用ページ５での送信操作を行う。すると、発注者端末１は、定型入力欄６に入力された製品特定用データと、指示事項入力欄７に手書き入力された指示事項のイメージデータと、発注者入力欄８に入力された発注者特定用のデータなどを管理サーバ２へ送信する。
【００２５】
管理サーバ２は、発注者端末１から送られてきた印鑑の刻印文字や書体などの製品特定用データに基づいて印鑑の印影イメージを形成する。管理サーバ２は、この印影イメージのデータと、指示事項のイメージデータなどを発注者端末１に送信する。これを受けて、発注者端末１は、図５に示すごとく印影イメージ１０と指示事項１１とをディスプレイに確認用画面９として表示する。ここでの印影イメージ１０は、指示事項１１を除いて、実際に作成される印鑑の印面にほぼ一致している。
【００２６】
発注者は、確認用画面９で印影イメージ１０および指示事項１１などを確認し、誤りなどがなければ発注者端末１で管理サーバ２への注文の送信操作を行う。この後、管理サーバ２側のオペレータが、必要に応じて管理サーバ２に記憶されている印影イメージ１０のデータを前記指示事項に基づいて修正する。
【００２７】
この印影イメージのデータなどは、印鑑の製造販売元に送信される。印鑑の製造販売元は、印影イメージのデータを自動彫刻機に入力して印鑑を自動作成したのち、その印鑑を発注者へ発送する。印鑑の製造販売元は、実印などの場合には印影イメージ１０および指示事項１１などに基づいて印鑑を手彫りで作成する。
【００２８】
管理サーバ２は、発注者端末１から送られてきた製品特定用データと指示事項のイメージデータとに基づいて、印鑑の印影イメージを自動生成することも可能である。この場合、印影イメージは実際に作成される印鑑の印面に一致するため、オペレータによる印影イメージ１０のデータの修正を省略できる。
【００２９】
このように、印鑑の注文用ページ５の指示事項入力欄７で、特殊文字の指定や、印鑑作成についての細かい指示・注意などを手書きで自由に入力できるため、印鑑の製造販売元は、発注者の意思に合致した印鑑を確実に作成することができる。しかも、手書きで入力するため、キーボードでは入力不可能な文字や入力困難な細かい点なども、印鑑の製造販売元に正確に伝えることができる。
【００３０】
なお、印鑑の注文用ページ５において、印鑑などの商品番号、印鑑のサイズ、書体、印鑑の素材および刻印文字などは必須の入力事項であるが、指示事項入力欄７には必ずしも入力する必要はない。確認用画面７には、印鑑の商品番号や価格などの製品情報などを表示してもよい。本発明の注文手続システムは、名刺、表札およびシールなどの注文にも使用することができる。
【図面の簡単な説明】
【図１】本発明に係る注文手続システムの概念図である。
【図２】発注者端末のブロック構成図である。
【図３】管理サーバのブロック構成図である。
【図４】印鑑の注文用ページを示す構成図である。
【図５】確認用画面を示す構成図である。
【符号の説明】
１  発注者端末
１ｄ  入力手段
２  管理サーバ
３  インターネット
５  印鑑の注文用ページ
６  定型入力欄
７  指示事項入力欄
１０  印影イメージ
【図１】
2004310151.tif 000003
【図２】
2004310151.tif 000004
【図３】
2004310151.tif 000005
【図４】
2004310151.tif 000006
【図５】
2004310151.tif 000007